(57)【要約】【課題】  表示機能を有する集積チップ（ＩＣ）カードを提供する。【解決手段】  表示機能を有する模範的な集積チップ（ＩＣ）カードは、中央処理装置、揮発性メモリ、不揮発性メモリ、カード・インターフェース、及び表示装置を含む。該中央処理装置は、制御信号に従ってＩＣカードを実行する。該揮発性メモリは、データ信号を保存する。該不揮発性メモリは、制御信号を保存する。該カード・インターフェースは、該中央処理装置と外部のカードリーダーとの間の通信のためにある。該中央処理装置は、該データ信号に従って表示装置を制御する。【選択図】図１
2010257457.tif 000002
【特許請求の範囲】
【請求項１】
表示機能を有する集積チップ（ＩＣ）カードであり：
制御信号に従ってＩＣカード・プロセスを実行するための中央処理装置；
該中央処理装置に結合された、データ信号を保存するための揮発性メモリ；
該中央処理装置に結合された、前記制御信号を保存するための不揮発性メモリ；
該中央処理装置に結合された、該中央処理装置と外部のカードリーダーとの間の通信のためのカード・インターフェース；及び
表示するために該中央処理装置によって制御される表示装置；
を含む集積チップ（ＩＣ）カードであり、
前記中央処理装置は前記データ信号に従って前記表示装置を制御する、集積チップ（ＩＣ）カード。
【請求項２】
前記不揮発性メモリが：
データのアドレス及び長さを記録するためのディレクトリ領域；
暗号化キーを保存するための秘密領域；及び
暗号化されたデータを保存するためのデータ領域；
を含み、
前記ディレクトリ領域及び前記秘密領域において保存されたデータは、前記制御信号として使用され；
前記中央処理装置は、前記暗号化キーに従って第１データを暗号化し、暗号化された該第１データを前記不揮発性メモリのデータ領域に保存し；
前記揮発性メモリは、暗号解読されたデータを前記データ信号として保存するために使用され；
前記中央処理装置は、前記暗号化キーに従って前記不揮発性メモリのデータ領域の第２データを暗号解読し、暗号解読された該第２データを前記揮発性メモリへ前記データ信号として送信し；
前記外部のカードリーダーが、前記不揮発性メモリにおいて保存されたデータをアクセスする場合、前記中央処理装置は、前記暗号化キーに従って前記データを暗号解読し、暗号解読された該データを、前記カード・インターフェースを通して前記外部のカードリーダーへ送信し；
前記外部のカードリーダーは、前記不揮発性メモリにおいて保存されたデータを修正し、前記中央処理装置は、該外部のカードリーダーのデータ及びインストラクションを前記暗号化キーに従って暗号化し、暗号化された該データを前記不揮発性メモリのデータ領域の中へ書き込む、請求項１に記載のＩＣカード。
【請求項３】
前記表示装置が：
表示部；及び
前記中央処理装置から送信された信号に従って該表示部を駆動するための表示部駆動回路；
を有し、
前記表示部は、双安定性表示装置を含み、前記表示部駆動回路はブースター回路を含む、請求項１に記載のＩＣカード。
【請求項４】
前記カード・インターフェースが、接触型カード・インターフェース、非接触型カード・インターフェース、又はハイブリッド・カード・インターフェース；及び前記ＩＣカードの構成要素に電力を供給するための電源回路；を含み、
前記電源回路は、電気エネルギーを受信し電源へと変換するための電圧変換器を含み；
前記外部のカードリーダーが前記ＩＣカードと通信するとき、該電圧変換器は、電気エネルギーを受信し、該電気エネルギーを、前記カード・インターフェースを通して前記電源へと変換する、請求項１に記載のＩＣカード。
【請求項５】
前記ＩＣカードの構成要素へ電源を供給するための電源回路であり、該電源回路は、電気エネルギーを保存するためのエネルギー保存装置、及び該エネルギー保存装置に保存された電気エネルギーを前記電源へと変換するための電圧変換器を有する、電源回路；及び
前記表示装置を制御するために前記中央処理装置へユーザー信号を発するためのユーザー・インターフェース；
をさらに含み、
前記エネルギー保存装置は、太陽電池又は充電式電池を含む、請求項１に記載のＩＣカード。
【発明の詳細な説明】
【技術分野】
【０００１】
本発明は、集積チップ（ＩＣ）カードに関し、さらに具体的には、表示機能を有するＩＣカードに関する。
【背景技術】
【０００２】
磁気カードは、従来技術においてトランザクションに使用されている。しかし、磁気カードの磁気帯に保存されているデータは容易にアクセスでき、暗号化はできないため、磁気カードは簡単に複製される。
【０００３】
従って、従来技術では、ＩＣカード技術がトランザクションにおいて磁気カードを置き換えることが提案されている。ＩＣカードは、複製が困難になるように、保存されたデータを暗号化できるという利点を有し、トランザクションに対してさらなる安全性を提供する。従って、ＩＣカードは、例えば、クレジットカード、銀行カード、運賃の前払いカードなどの様々なトランザクションにおいて使用される。
【発明の概要】
【発明が解決しようとする課題】
【０００４】
しかし、そのＩＣカードに保存されたデータがアクセスされるとき、保存されたデータをアクセスするためにそのＩＣカードに対応するカードリーダーが必要となる。例えば、ユーザーが前払いカードにおける残高を知りたい場合、そのユーザーは、そのＩＣカードに保存された残りの金額のインフォメーションに直接アクセスすることはできない。代わりに、ユーザーは、保存されたデータ（残高）にアクセスするためにステーションに配置されたカードリーダーを使用しなければいけなく、かなりの不便さが生じる。
【課題を解決するための手段】
【０００５】
本発明は、表示機能を有する集積チップ（ＩＣ）カードを提供する。ＩＣカードは、中央処理装置、揮発性メモリ、不揮発性メモリ、カード・インターフェース、及び表示装置を含む。中央処理装置は、制御信号に従ってＩＣカード・プロセスを実行するためにある。揮発性メモリは、中央処理装置に結合されており、データ信号を保存するために使用される。不揮発性メモリは、中央処理装置に結合されており、制御信号を保存するために使用される。カード・インターフェースは、中央処理装置に結合されており、その中央処理装置と外部のカードリーダーとの間の通信に使用される。表示装置は、中央処理装置によって制御され、表示に使用される。中央処理装置は、データ信号に従って表示装置を制御する。
【０００６】
本発明のこれらの及び他の目的は、当業者が以下の様々な図表において説明されている望ましい実施形態の詳細な記載を読むことによって明確になるはずである。
【図面の簡単な説明】
【０００７】
【図１】本発明の表示機能を有するＩＣカードを説明する概略図である。
【発明を実施するための形態】
【０００８】
本発明は、表示機能を有するＩＣカードを提供する。本発明のＩＣカードは、そのＩＣカードに保存されたデータを表示することが可能であり、かなりの利便性を提供する。
【実施例１】
【０００９】
図１を参照されたい。図１は、本発明の表示機能を有するＩＣカード１００を説明する概略図である。図１に示されるように、ＩＣカード１００は、中央処理装置（ＣＰＵ）１１０、表示装置１２０、不揮発性メモリ１３０、揮発性メモリ１４０、電源回路１５０、ユーザー・インターフェース１６０、及びカード・インターフェースＩＦを含む。
【００１０】
不揮発性メモリ１３０は、ディレクトリ領域１３１、秘密領域１３２及びデータ領域１３３を有する。ディレクトリ領域１３１は、保存されたデータのアドレス及び長さを記録する。秘密領域１３２は、暗号化キーＸを保存するために使用される。データ領域１３３は、暗号化されたデータ（例えば、残高に関して暗号化されたデータ）を保存するために使用される。言い換えれば、ＣＰＵ１００が制御信号に従ってＩＣカード・プロセスを実行すると、ディレクトリ領域１３１及び秘密領域１３２に保存されたデータが、ＩＣカード・プロセスを実行するためのＣＰＵ１００に対する制御信号として使用される。
【００１１】
揮発性メモリ１４０は、ＣＰＵ１１０に結合されており、暗号解読されたデータ（例えば、残高に関して暗号解読されたデータ）を一時的に保存するために使用され、表示するために保存されたデータを揮発メモリ１４０から表示装置１２０へと送信するためにＣＰＵ１１０に供給する。つまり、ＣＰＵ１１０は、データ信号に従って、表示装置１２０の表示を制御する。この方法において、表示装置１２０は、受信されたデータを示すことができる。言い換えれば、揮発性メモリ１４０は、データ信号をアクセスし、それに応じて表示装置を制御するようにＣＰＵ１１０に供給するために、データ信号を保存する。
【００１２】
ＣＰＵ１１０は、ＩＣカード１００のＩＣカード・プロセス（例えば、カード・オーソライゼーション、端末オーソライゼーション又はユーザー・オーソライゼーションなど）を実行するためのカードＯＳ（ＣＯＳ）でロードされる。ＣＰＵ１１０は、外部のカードリーダーＹとカード・インターフェースＩＦを通して通信する。つまり、カード・インターフェースＩＦは、ＣＰＵ１１０と外部のカードリーダーＹとの間の通信のために導入される。ＣＰＵ１１０は、受信されたデータ（外部のカードリーダーＹから）を、不揮発性メモリ１３０の秘密領域１３２に保存された暗号化キーＸに従って暗号化する。次に、その暗号化されたデータは、不揮発性メモリ１３０のデータ領域１３３に保存される。その外部のカードリーダーＹが、不揮発性メモリ１３０のデータ領域１３３の保存データをアクセスすることになっている場合、ＣＰＵ１１０は、不揮発性メモリ１３０のデータ領域１３３の保存データを、暗号化キーＸに従って暗号解読し、次にその暗号解読されたデータを、カード・インターフェースＩＦを通してカードリーダーＹへ送信する。外部のカードリーダーＹが、不揮発性メモリ１３０のデータ領域１３３の保存データを変更・修正することになっている場合、ＣＰＵ１１０は、その外部のカードリーダーＹから送信されたインストラクション及びデータを暗号化キーＸに従って暗号化し、その暗号化されたデータを不揮発性メモリ１３０のデータ領域１３３の中へ書き込む。
【００１３】
ユーザー・インターフェース１６０は、例えば、ユーザーがＣＰＵ１１０でつながることを可能にするボタンであってもよい。ユーザーが、不揮発性メモリ１３０のデータ領域１３３の保存データを直接アクセスする場合、そのユーザーは、ユーザー・インターフェース１６０を通してＣＰＵ１１０に通知することができる。例えば、そのユーザーは、保存データをアクセスすることを表わすユーザー信号をＣＰＵ１１０へ送るようにボタンを押してもよい。ユーザーが保存データをアクセスすることを表わすユーザー信号をＣＰＵ１１０が受信したとき、ＣＰＵ１１０は、データ領域１３３の保存データを暗号化キーＸに従って暗号解読する。次に、ＣＰＵ１１０は、暗号解読されたデータを揮発性メモリ１４０に保存し、その揮発性メモリ１４０における暗号解読されたデータを表示するために表示装置１２０へ送り込む。この方法で、ユーザーは、表示装置１２０を通してデータを読み取るように、ユーザー・インターフェース１６０を通してＣＰＵ１１０を制御することができる。例えば、ユーザーは、ＩＣカード１００の表示装置１２０がそのＩＣカード１００の残高に対するデータを表示するように、ＩＣカード１００のボタンを押してもよい。この方法において、ユーザーは、外部のカードリーダー無しでＩＣカード１００の残高に対するデータをアクセスすることができる。
【００１４】
電源回路１５０は、作動のためにＩＣカード１００の各要素に電源ＶＣＣを供給するために使用される。電源回路１５０は、電圧変換器１５１を有する。さらに、その電源回路１５０は、また、エネルギー保存装置１５２を選択的に有してもよい。その電圧変換器１５１は、受信された電気エネルギーを電源ＶＣＣへ変換するために使用される；エネルギー保存装置１５２は、電気エネルギーを保存することができるエネルギー保存装置１５２は、太陽電池又は汎用充電式電池であってもよい。エネルギー保存装置１５２が太陽電池である場合、ＩＣカード１００が太陽エネルギーを受けると、そのエネルギー保存装置１５２は電気エネルギーを保存し、電源ＶＣＣを発するために電源回路１５０に供給する。エネルギー保存装置１５２が充電式電池である場合、ＩＣカード１００が外部のカードリーダーとカード・インターフェースＩＦを通して通信すると、そのＩＣカード１００は、外部のカードリーダーから電気エネルギーを受けることができ、電源ＶＣＣを発するように電源回路１５０へ供給するために、エネルギー保存装置１５２にその電気エネルギーを保存することができる。
【００１５】
さらに、カード・インターフェースＩＦは、接触型カード・インターフェース、非接触型カード・インターフェース又はハイブリッド・カード・インターフェースであってもよい。ハイブリッド・カード・インターフェースは、接触型カード・インターフェース及び非接触型カード・インターフェースを含む。カード・インターフェースＩＦが非接触型カード・インターフェースである場合、電源回路１５０は、受信された無線周波数信号からの電気エネルギーをその非接触型カード・インターフェースを通して受信し、その電気エネルギーを電源ＶＣＣへと変換する。カード・インターフェースが接触型カード・インターフェースである場合、電源回路１５０は、その接触型カード・インターフェースから送信される電気エネルギーを受信し、電源ＶＣＣへと変換する。表示装置１２０は、表示部駆動回路１２１及び表示部１２２を含む。表示部駆動回路１２１は、ＣＰＵ１１０から送信される信号に従って、表示部１２２を駆動するために使用される（例えば、表示部駆動回路１２１は、表示部１２２を駆動するためにＣＰＵ１１０から送信される信号の電圧レベルを上げるためのブースター回路であってもよい）。表示部１２２は、双安定性表示部であってもよい。つまり、表示部１２２がデータを表示するとき、その表示部１２２は、表示されたデータを、次にその表示されたデータが更新されるまで電力を消費せずに表示し続けてもよい。
【００１６】
本発明のＩＣカード１００は、もう１つの利点を有する。それは、不揮発性メモリ１３０の必要とされる容量を低減するように揮発性メモリ１４０を供給することである。例えば、本発明のＩＣカードが揮発性メモリ１４０を有しない場合、更なるデータが暗号解読されたデータを保存するため（暗号化されたデータから分離するため）に不揮発性メモリ１３０において必要とされる。従って、不揮発性メモリ１３０の容量は、拡大されなければいけない。しかし、不揮発性メモリの容量／費用は揮発性メモリよりも小さい／高いため、ＩＣカード１００の不揮発性メモリ１３０の容量は、揮発性メモリ１４０が原因で効果的に低減され、ＩＣカード１００の費用を低減する。
【００１７】
結論として、本発明の表示機能を有するＩＣカードを用いて、ユーザーは、保存データをそのＩＣカードから直接読み取ることができる。さらに、本発明のＩＣカードは、データを一時的に保存するための揮発性メモリを有する。従って、不揮発性メモリの容量は、効果的に低減され、全体の費用を減らし、かなりの利便性をもたらす。
【００１８】
当業者は、当該装置及び方法の多数の修正及び変更が、本発明の教示を維持する一方で可能であることを容易に理解するであろう。
【符号の説明】
【００１９】
１００…ＩＣカード
１１０…中央処理装置（ＣＰＵ）
１２０…表示装置
１２１…表示部駆動回路
１２２…表示部
１３０…不揮発性メモリ
１３１…ディレクトリ領域
１３２…秘密領域
１３３…データ領域
１４０…揮発性メモリ
１５０…電源回路
１５１…電圧変換器
１５２…エネルギー保存装置
１６０…ユーザー・インターフェース
ＶＣＣ…電源
Ｙ…外部のカードリーダー
【図１】
2010257457.tif 000003
【外国語明細書】
2010257457.tif 000004
2010257457.tif 000005
2010257457.tif 000006
2010257457.tif 000007
2010257457.tif 000008
2010257457.tif 000009
2010257457.tif 000010
2010257457.tif 000011
【図１】
2010257457.tif 000012